(57)【要約】【課題】本発明は、背面にのみビス頭が突出し上面、側面にビス頭が突出しない構造で照明カバー、側面カバーを取り付ける洗面化粧台用照明装置を提供せんとするもので、洗面化粧台の用途をさらに広くせんとするものである。【解決手段】側面カバー本体５の後端部に略直角に内方へ折曲した背板固定片６を形成すると共に前端部に略直角に内方へ折曲して照明カバー取付部７を形成し更に内方へ折曲してバネ垂下片８を形成しバネ垂下片８の先端部を水平に折曲して固定部として側面カバー２を形成し、照明器具が収納された照明ボックス３の背板１１に側面カバー２の背板固定片６をビス固定し、バネ垂下片８に側面カバー２を引き寄せる復帰力を与えて固定部を照明ボックス３前面にビス固定し、側面カバー２の照明カバー取付部７に照明カバー４を取り付けてなる洗面化粧台用照明装置である。【選択図】図１
2007172903.tif 000002
【特許請求の範囲】
【請求項１】
側面カバー本体の後端部に略直角に内方へ折曲した背板固定片を形成すると共に前端部に略直角に内方へ折曲して照明カバー取付部を形成し更に内方へ折曲してバネ垂下片を形成しバネ垂下片の先端部を水平に折曲して固定部として側面カバーを形成し、照明器具が収納された照明ボックスの背板部に側面カバーの背板固定片をビス固定し、バネ垂下片に側面カバーを引き寄せる復帰力を与えて固定部を照明ボックス前面にビス固定し、側面カバーの照明カバー取付部には照明カバーを取り付けてなる洗面化粧台用照明装置。
【発明の詳細な説明】
【技術分野】
【０００１】
本発明は、上面、両側面に密着してキャビネット等を設置することができる洗面化粧台用照明装置に関するものである。さらに詳しくは、上面に吊戸棚を設置しても側面にサイドキャビネットを設置しても隙間の生ずる恐れが少ない洗面化粧台用照明装置に関するものである。
【背景技術】
【０００２】
従来から、洗面化粧台用照明装置は知られている。この従来の洗面化粧台用照明装置は照明カバーの脱落防止或いは照明灯を正面より取り替えできるための照明カバーの取付構造に工夫がなされているものであった。具体的には特許文献１に示されるものである。
【特許文献１】特開２００１−２６９２７８号公報（請求項１）、（図１）
【発明の開示】
【発明が解決しようとする課題】
【０００３】
上記従来の洗面化粧台用照明装置では、照明装置上面に吊戸棚を設置したり、側面にサイドキャビネットを設置したりする場合、隙間の生ずる恐れがあるものであった。それは照明カバーを取り付けるにあたって上面や側面にビス頭が突出する構造が採用される結果であった。本発明は、背面にのみビス頭が突出し上面、側面にビス頭が突出しない構造で照明カバー、側面カバーを取り付ける洗面化粧台用照明装置を提供せんとするもので、洗面化粧台の用途をさらに広くせんとするものである。
【課題を解決するための手段】
【０００４】
上記課題を解決するために、本発明に係る洗面化粧台用照明装置は、請求項１に記載した如く、側面カバー本体の後端部に略直角に内方へ折曲した背板固定片を形成すると共に前端部に略直角に内方へ折曲して照明カバー取付部を形成し更に内方へ折曲してバネ垂下片を形成しバネ垂下片の先端部を水平に折曲して固定部として側面カバーを形成し、照明器具が収納された照明ボックスの背板部に側面カバーの背板固定片をビス固定し、バネ垂下片に側面カバーを引き寄せる復帰力を与えて固定部を照明ボックス前面にビス固定し、側面カバーの照明カバー取付部には照明カバーを取り付けてなることを特徴とするものである。
【発明の効果】
【０００５】
請求項１に記載の洗面化粧台用照明装置は、側面カバーが照明ボックス前面に固定されると共に側面カバーの照明カバー取付部に照明カバーが取り付けられ、上面にビス頭の突出摺る恐れがないものである。而もバネ垂下片に側面カバーを引き寄せる復帰力が与えられているために側面カバーは常に内方へ引かれ、側面部でビス固定されていなくてもよいものであり、このために側面にビス頭が突出する恐れがないものである。
【発明を実施するための最良の形態】
【０００６】
以下、本発明の実施形態について図面を参照して、詳細に説明する。図１は本発明の洗面化粧台用照明装置を示す分解斜視図であり、図２は図１に示す洗面化粧台用照明装置の斜視図である。図１及び図２において、１は洗面化粧台用照明装置、２は側面カバー、３は照明ボックス、４は照明カバーである。
【０００７】
側面カバー２は図３に示す如く、側面カバー本体５の後端部に略直角に内方へ折曲した背板固定片６を形成しており、前端部には略直角に内方へ折曲した照明カバー取付部７を形成している。照明カバー取付部７から更に内方へ折曲してバネ垂下片８を形成し、バネ垂下片８の先端部に水平に折曲した固定部９を形成している。背板固定片６にはビス孔１０が形成されビスにより照明ボックス３の背板１１に固定されるものである。側面カバー本体５は照明ボックス３の側面を覆うものである。
【０００８】
照明カバー取付部７は照明カバー４を取り付けるもので、上大部下小部の取付孔１２が形成されており、照明カバー４裏面には図４に示す如く頭部膨大凸部１３が形成されていて取付孔１２に嵌合係止され取り付けされる。照明カバー取付部７から更に内方へ折曲して形成されたバネ垂下片８は側面カバー本体５より離間する方向にバネ性を有するもので、先端部に水平に折曲して形成された固定部９は照明ボックス３の取付台１４に固定される。この場合、バネ垂下片８は側面カバー本体５より離間する方向へバネ性に抗して外力を与え固定部９を取付台１４に固定する。
【０００９】
この構成により、バネ垂下片８に復帰力を与えたことになり、バネ垂下片８は側面カバー本体５を照明ボックス３に引き寄せることになって照明ボックス３に密着して取付られる。このために、側面にビスを用いることなく側面カバー２を照明ボックス３に取付たことになり、側面にビス頭が突出するようなことはない。１５は立ち上げ片であり、バネ垂下片８を側面カバー本体５より離間する方向へバネ性に抗して外力を与えるさいに用いる手がかり部である。１６は照明ボックス３内に設置されている照明灯である。
【図面の簡単な説明】
【００１０】
【図１】本発明にかかる洗面化粧台用照明装置の分解斜視図。
【図２】図１に示す実施例の洗面化粧台用照明装置の斜視図。
【図３】図１に示す実施例の洗面化粧台用照明装置に用いる側面カバーの斜視図。
【図４】図１に示す実施例の洗面化粧台用照明装置に用いる照明カバーの斜視図。
【符号の説明】
【００１１】
１            洗面化粧台用照明装置
２            側面カバー
３            照明ボックス
４            照明カバー
５            側面カバー本体
６            背板固定片
７            照明カバー取付部
８            バネ垂下片
９            固定部
１０          ビス孔
１１          背板
１２          取付孔
１３          頭部膨大凸部
１４          取付台
１５          立ち上げ片
１６          照明灯
【図１】
2007172903.tif 000003
【図２】
2007172903.tif 000004
【図３】
2007172903.tif 000005
【図４】
2007172903.tif 000006